(57)【要約】  【課題】  円筒状の育苗ポットであってもコンパクトに梱包できると共に、梱包体から円滑に取り出すことができる育苗ポット梱包体および育苗ポットの梱包方法を提供すること。  【解決手段】  所定個数の円筒状の育苗ポットを積層した育苗ポット積層体５を、各収納トレイ２，３，４で挟み、育苗ポット積層体５の側壁を平面視円形状から、その円形状の直径より短い辺で形成される矩形状に圧縮変形させた状態で梱包する。また、各収納トレイ２，３，４の高さを、育苗ポットの高さより低く構成して、育苗ポット積層体５の側壁が各収納トレイ２，３，４に囲われないようにする。  【選択図】        図１
2004215672.tif 000002
【特許請求の範囲】
【請求項１】
円筒状の育苗ポットを矩形状にコンパクトに梱包できると共に、梱包体から円滑に取り出すことができることを特徴とする育苗ポット梱包体。
【発明の詳細な説明】
【技術分野】
【０００１】
本発明は育苗ポット梱包体および育苗ポットの梱包方法に関し、特に、円筒状の育苗ポットであってもコンパクトに梱包できると共に、梱包体から円滑に取り出すことができる育苗ポット梱包体および育苗ポットの梱包方法に関する。
【背景技術】
【０００２】
従来より、野菜、草花等の植物苗を育苗するために、ポリエチレン等の軟質性プラスチックで構成された育苗ポットが使用されている。特に、近年においては栽培用機械器具が発達して大量栽培が可能となったため、育苗ポットを製造する製造業者は多数の育苗ポットを梱包して栽培業者に納入する必要があった。
【０００３】
多数の育苗ポットを梱包する場合には、所定個数の育苗ポットを積層して育苗ポット積層体を構成する。この育苗ポット積層体は、所定の大きさの段ボール内に立設させた状態で並べて梱包される。本梱包方法によれば、梱包材としての段ボールは方形体に形成されているので、運搬、保管等に便利である。こうして梱包された育苗ポット梱包体は、その状態で栽培業者に納入される。
【発明の開示】
【発明が解決しようとする課題】
【０００４】
しかしながら、上述したような育苗ポット積層体を段ボール内に並べて梱包する梱包方法では、育苗ポットが円筒状に形成された円形育苗ポットである場合、隣接する育苗ポット積層体において隙間が生じ、梱包体が大型化するという問題点があった。尚、育苗ポットが方形体のものであれば、隙間なく段ボール内に収納できるが、円形育苗ポットは、育苗ポットを回転させることで苗の方向を自由に調節できるので、特に、開花した状態を需要者側に向けて販売する花苗に関しては広く愛用されている。
【０００５】
また、栽培業者が梱包体から育苗ポットを取り出す際の手間を軽減すべく、段ボール内に所定の行列数で梱包された育苗ポットを、一段づつ同時に取り出すための種々の機械がある。例えば、梱包された行列数と同じ数のアームと、そのアームに開閉可能な爪とを備えた装置がある。この装置によれば、爪を閉じた状態のアームを各育苗ポット内に挿入し、挿入した段階で爪を開く。爪は育苗ポットの壁面を内側から押圧して育苗ポットを把持する。この状態でアームを段ボール内から引き上げれば、所定の行列数で梱包された育苗ポットを一段づつ同時に取り出すことができる。しかしながら、育苗ポットは柔軟性を有するため爪の押圧によって、壁面が変形し、特に、段ボールの側面に沿って収納された育苗ポットは、段ボールの側面と接触して落下してしまうという問題点があった。
【０００６】
本発明は上述した問題点を解決するためになされたものであり、円筒状の育苗ポットであってもコンパクトに梱包できると共に、梱包体から円滑に取り出すことができる育苗ポット梱包体および育苗ポットの梱包方法を提供することを目的としている。
【課題を解決するための手段】
【０００７】
この目的を達成するために請求項１記載の育苗ポット梱包体は、円筒状の育苗ポットを矩形状にコンパクトに梱包できると共に、梱包体から円滑に取り出すことができるものである。
【発明の効果】
【０００８】
請求項１記載の育苗ポット梱包体によれば、円筒状の育苗ポットを矩形状にコンパクトに梱包できると共に、梱包体から円滑に取り出すことができるという効果がある。
【０００９】
【００１０】
【００１１】
【００１２】
【００１３】
【００１４】
【００１５】
【００１６】
【００１７】
【００１８】
【００１９】
【００２０】
【００２１】
【発明を実施するための最良の形態】
【００２２】
以下、本発明の好ましい実施例について、添付図面を参照して説明する。本発明の実施例における育苗ポット梱包体１は、円筒状に形成される育苗ポット積層体５の側壁を方形状に圧縮変形させて小型化させたものである。
【００２３】
図１は、育苗ポット梱包体１の斜視図である。この育苗ポット梱包体１は、所定個数の円筒状の育苗ポット１５（図４参照）を積層して構成される育苗ポット積層体５を梱包したものであって、育苗ポット１５を製造する製造業者によって梱包され、栽培業者に納入されるものである。この育苗ポット梱包体１は、下方から順番に、第１の収納トレイ２と、下段の育苗ポット積層体５と、第２の収納トレイ３と、上段の育苗ポット積層体５と、第３の収納トレイ４とを積層して構成されている。即ち、各収納トレイ２，３，４と育苗ポット積層体５とを交互に積層して構成されている。
【００２４】
第１の収納トレイ２と、第２の収納トレイ３と、第３の収納トレイ４とは、平面視円形に形成される育苗ポット積層体５の側壁を矩形状に圧縮変形するためのものである。各トレイ２，３，４は同一部材で構成されており、各トレイ２，３，４には、育苗ポット積層体５を収納するための収納部１１が複数個備えられている。第１の収納トレイ２の収納部１１は、下段の育苗ポット積層体５の下方を収納している。第２の収納トレイ３の収納部１１は、下段の育苗ポット積層体５の最上層に位置する育苗ポットの内側に挿嵌していると共に、上段の育苗ポット積層体５の下方を収納している。第３の収納トレイ４の収納部１１は、上段の育苗ポット積層体５の最上層に位置する育苗ポットの内側に挿嵌している。この収納部１１によって育苗ポット積層体５は矩形状に圧縮変形されるので、円形の状態で収納する場合に比べて、育苗ポット梱包体１をコンパクトにすることができる。
【００２５】
また、この収納部１１の高さは、育苗ポットの高さと略同様に構成されているので、育苗ポット積層体５の側壁のうち、収納部１１に収納されるのは、最下層に位置する育苗ポット１５の側壁だけである。よって、育苗ポット梱包体１の外周に位置する育苗ポット積層体５の側壁を段ボール等の梱包材によって遮ることなく梱包でき、育苗ポット梱包体１から育苗ポットを円滑に取り出すことができる。
【００２６】
育苗ポット積層体５は、所定個数（好ましくは４０個程度）の育苗ポット１５をコンパクトにまとめるためのものであり、所定個数の円筒状の育苗ポット１５を積層して構成されている。このように所定個数の育苗ポット１５を積層することで、所定個数の育苗ポット１５を高さ方向にコンパクトにまとめることができる。
【００２７】
尚、育苗ポット梱包体１は、第１の収納トレイ２を上向きに押圧すると共に、第３の収納トレイ４を下向きに押圧するように、図示しない紐やゴムバンド等の固定部材によって固定されている。
【００２８】
図２及び図３を参照して、第１の収納トレイ２と、第２の収納トレイ３と、第３の収納トレイ４と（以降、単に各収納トレイ２と称す）について説明する。図２は、各収納トレイ２の平面図であり、図３は各収納トレイ２の側面図である。各収納トレイ２は、上述したように、平面視円形に形成される育苗ポット積層体５の側壁を矩形状に圧縮変形するためのものである。各収納トレイ２は、合成樹脂（例えばポリプロピレン、ポリエチレン等）で構成されており、方形状の枠体６と、その枠体６の内部を縦方向と横方向とに橋架された区画部材７と、その区画部材７によって区画された区画毎に収納部１１とを備えている。
【００２９】
枠体６は、各収納トレイ２に載置可能な育苗ポット１５の数を決定するものであり、本実施例では方形状（略縦３２ｃｍ略横４８ｃｍ）に形成されている。区画部材７は枠体内部を区画するものであり、等間隔（略８ｃｍ）であって縦方向に５本、横方向に３本橋架されている。よって枠体６の内部には４行６列の区画口が形成されている。収納部１１は、区画部材７によって区画された１の区画口を収納口８として、その収納口８から下方に向かって収縮する側壁９と、その側壁９の終端部において略正方形に形成された底壁１０とによって構成されている。
【００３０】
収納部１１の収納口８は、略正方形に形成されており、その１辺長ａは区画部材７によって略８ｃｍに構成されている。１辺長ａは育苗ポット１５の開口部１８（図４参照）の直径ｄより小さいので、収納部１１に収納される育苗ポット１５は圧縮される。また、収納口８の四隅部１２は曲線状に構成されており、収納部１１によって圧縮される育苗ポット１５と、四隅部１２との間に生じる隙間を少なくしている。
【００３１】
収納部１１の側壁９は、収納部１１に収納された育苗ポット１５の側壁を押圧するものであり、収納口８から底壁１０に向けて収縮するように連設されている。略正方形に形成された収納口８の１辺ａが略８ｃｍであり、略正方形に形成された底壁１０の１辺ｂが略６ｃｍであるため、側壁９の収縮率は略０．７５である。収納部１１の底壁１０は収納部１１に収納される育苗ポット１５を支持するためのものである。収納部１１の底壁１０から収納口８までの高さｃは略８ｃｍに構成されている。この高さは、育苗ポット１５の高さｆと略同様である。また、収納部１１の底壁１０と、側壁９とは格子状に形成されている。よって、各収納トレイ２の重量は軽量化される。
【００３２】
図４（ａ），（ｂ）を参照して、育苗ポット１５について説明する。図４（ａ）は育苗ポット１５の側面図であり、図４（ｂ）は育苗ポット１５の平面図である。育苗ポット１５は、野菜、草花等の植物苗を育苗するためのであり、軟質の合成樹脂で構成されている。円形状の底壁１６と、その底壁１６の縁部から上方に向かって拡径するように立ち上がった側壁１７と、その側壁１７の上端縁部によって円形状に形成された開口部１８とを備え、略円筒状に構成されている。他の育苗ポット１５を積層して育苗ポット積層体５を構成する場合には、開口部１８から底壁１６と側壁１７とによって形成された空間に他の育苗ポット１５が収納される。尚、底壁１６には排水のための水抜き口１９が穿設されている。
【００３３】
また、円形状に形成された開口部の直径ｄは略９ｃｍであり、円形状に形成された底壁１６の直径ｅは略６．５ｃｍで構成されている。よって、開口部１８から底壁１６に向かって縮径する側壁１７の縮径率は略０．７２である。即ち、育苗ポット１５の側壁１７の縮径率０．７２は、各収納トレイ２における収納部１１の側壁９の収縮率０．７５より小さく構成されている。
【００３４】
次いで、上述した育苗ポット１５の梱包方法について図５ないし図１０を参照して説明する。図５、図７、図９は、育苗ポット１５の梱包方法を説明するために時系列的に並べてものである。
【００３５】
ここで、育苗ポット１５を梱包する前提として、梱包する育苗ポット１５を形成する必要がある。育苗ポット１５は所謂射出成形によって形成されるものであり、育苗ポットの合成樹脂原料を約１２０度で加熱して溶解させ、その溶解した原料を型枠内に流し込み、育苗ポットを形成する（形成行程）。射出成形によって形成される育苗ポット１５は、所定時間内であれば含熱状態にある。この状態にある育苗ポット１５を図５に示すように、第１の収納トレイ２の収納部１１に収納する（収納行程）。
【００３６】
育苗ポット１５を第１の収納トレイ２の収納部１１に収納した場合を図６を参照して説明する。図６（ａ）は第１の収納トレイ２の収納部１１に育苗ポット１５を収納した状態を示す高さ方向の断面を模式的に示した図である。（ｂ）は（ａ）と同じ状態を平面方向の断面によって模式的に示した図である。第１の収納トレイ２の収納部１１の収納口８は１辺ａを略８ｃｍとする略正方形であって、育苗ポット１５の開口部１８の直径ｄよりも小さく構成されており、且つ、収納部１１の側壁９の収縮率は０．７５であって、育苗ポット１５の側壁１７の縮径率０．７２より僅かであるが大きく構成されている。
【００３７】
よって、育苗ポット１５を収納部１１に収納した場合には、育苗ポット１５の側壁１７は収納部１１の側壁９によって押圧され、育苗ポット１５の側壁１７は、圧力の弱い収納部１１の四隅部１２の方に変形し、平面視円形状の側壁１７は略矩形状に変形する。また、育苗ポット１５は含熱状態にあり一層柔軟性に富んでいるので容易に矩形状に変形される。
【００３８】
第１の収納トレイ２の収納部１１に圧縮され、矩形状に変形した状態にある育苗ポット１５の上から、更に別の育苗ポットを積層して、所定個数の育苗ポットを積層した育苗ポット積層体を構成する（積層行程）。ここで、所定個数の育苗ポット１５を積層した場合には、第１の収納トレイ２の圧縮力が育苗ポット積層体５の上方には及ばず、育苗ポット積層体５の上方の育苗ポット１５の側壁１７は平面視円形状のまま積層され、育苗ポット積層体５は扇状に延びてゆく。かかる場合には、隣接する育苗ポット積層体５が互いに干渉し合い、図７に示すように外方に向かって傾斜した状態になる。
【００３９】
そこで、傾斜した状態にある育苗ポット積層体５の最上層に位置する育苗ポット１５の側壁１７内側に第２の収納トレイ３の収納部１１の外周面を挿嵌する（挿嵌行程）。この収納部１１を挿嵌した状態を図８を参照して説明する。図８は、育苗ポット１５の側壁内側に第２の収納トレイ３の収納部１１を挿嵌した状態を示す断面を模式的に示した図である。
【００４０】
上述したように所定個数の育苗ポット１５を積層した場合には、育苗ポット積層体１５は上方に向かって扇状に延びてゆく、しかし育苗ポット積層体５の最上層に位置する育苗ポット１５の側壁１７内側に第２の収納トレイ３の収納部１１の外周面を挿嵌することによって、収納部１１の下方の側壁９の外側と、最上層の育苗ポット１５の下方の側壁１７の内側とが接触し、図６（ｂ）で述べたように、接触した部位において平面視円形の育苗ポット１５の側壁１７は、収納部１１の四隅部分１２に向けて圧縮される。それに伴い、育苗ポット積層体５の上方の側壁も、図８の一点鎖線の状態から実線の状態へ略矩形状に変形される（矢印Ｂ参照）。
【００４１】
こうして、育苗ポット積層体５の最上層に位置する育苗ポット１５の側壁１７内側に第２の収納トレイ３の収納部１１の外周面を挿嵌すれば、図９に示すような壁面を矩形状に圧縮変形された状態で、第１の収納トレイ２と第２の収納トレイ３とに挟持された下段の育苗ポット積層体５の層が形成される。
【００４２】
また、第２の収納トレイ３は、第１の収納トレイ２と同一部材によって構成されているため、図１０に示すように、第２の収納トレイ３の収納部１１に、図６（ａ）の場合と同様に、育苗ポット１５を収納し以降は同様の行程を繰り返すことによって、第２の収納トレイ３と第３の収納トレイ４とに挟持された上段の育苗ポット積層体５の層が形成される。尚、このように構成された育苗ポット梱包体１の第１の収納トレイ２と第３の収納トレイ４とが互いに押圧しあうように紐等の固定バンドで固定される。
【００４３】
以上説明したように、本実施例の育苗ポット梱包体１によれば、所定個数の円筒状の育苗ポット１５を積層して構成される円筒状の育苗ポット積層体５は、方形状に圧縮変形され、余分な隙間なく各収納トレイ２の枠体６内部に収納されるので、コンパクトな育苗ポット梱包体１を構成することできる。
【００４４】
また、各収納トレイ２の高さは、１つの育苗ポット１５の高さと略同様に形成されているので、育苗ポット積層体５の最下層に位置する育苗ポット１５の側壁以外の側壁は、各収納トレイ２に収納されておらず、育苗ポット梱包体１の外周に配置され、外側と対向する側壁を拘束するものはないので、梱包体から育苗ポットを取り上げる作業を円滑にすることができる。
【００４５】
また、育苗ポット梱包体１は、円筒状の育苗ポット１５を圧縮した状態で梱包しているだけなので、梱包を解いた場合には、再び円筒状の育苗ポット１５に戻る。よって円筒状の育苗ポット１５であっても、方形状の育苗ポットと同様にコンパクトに梱包することができる。
【００４６】
以上、上記実施例に基づき本発明を説明したが、本発明は上記実施例に何ら限定されるものでなく、本発明の主旨を逸脱しない範囲内で種々の改良変形が可能であることは容易に推察できるものである。
【００４７】
例えば、上記実施例においては、３つの各収納トレイ２によって、上下２段の育苗ポット積層体５を梱包する場合について説明した。しかしながら、育苗ポット梱包体１に梱包する育苗ポット積層体５の段数は、２段に限定されるものではなく、１段若しくはそれ以上であっても良い。
【００４８】
また、上記実施例においては、１つの各収納トレイ２に載置できる育苗ポット積層体５の数を２４体である場合について説明した。しかしながら、１つの各収納トレイ２に載置できる育苗ポット積層体５の数は２４体に限定されるものではなく、１体以上であれば何体であっても良い。
【００４９】
以下に本発明の変形例を示す。柔軟性を有すると共に、円形状の底壁と、その底壁の縁部から上方に向かって円筒状に立設された側壁と、その側壁の上端縁部によって円形状に形成される開口部とを有する育苗ポットを複数梱包した育苗ポット梱包体において、複数個数の前記育苗ポットを積層して構成される育苗ポット積層体と、その育苗ポット積層体の下方の側壁を矩形状に変形させるために、前記育苗ポットの開口部の直径より短い一辺をもって矩形状に形成された収納口と、その収納口から下方に向かって連設された側壁とを有する第１の収納ケースと、その第１の収納ケースと略同形状に構成され、その第１の収納ケースに対して前記育苗ポット積層体を挟んだ反対側に配置され、前記育苗ポット積層体の上方の側壁を矩形状に変形させるために、前記育苗ポット積層体の最上層に位置する育苗ポットの側壁内部に挿嵌される第２の収納ケースとを備えていることを特徴とする育苗ポット梱包体１。
【００５０】
育苗ポット梱包体１によれば、底壁と側壁とによって上方を開口部とする所定空間が形成された育苗ポットは、育苗ポットの開口部の直径より短い一辺をもって、矩形状に形成された収納口から下方に向かって連設された側壁によって構成される第１の収納ケースに収納される。第１の収納ケースに収納された育苗ポットには、更に複数個数の育苗ポットが積層され、育苗ポット積層体が構成される。この育苗ポット積層体の下方の側壁は収納口によって押圧され、平面視円形状の側壁は矩形状に変形される。一方、育苗ポット積層体の最上層に位置する育苗ポットの側壁内部には、第１の収納ケースの略同様に構成された第２の収納ケースが挿嵌される。よって、育苗ポット積層体の上方の側壁は、第２の収納ケースの収納口によって内側から押圧され、平面視円形状の側壁は矩形状に変形される。
【００５１】
育苗ポット梱包体１によれば、この育苗ポット積層体の下方の側壁は収納口によって押圧され、平面視円形状の側壁は矩形状に変形される。一方、育苗ポット積層体の上方の側壁は、第２の収納ケースの収納口によって内側から押圧され、平面視円形状の側壁は矩形状に変形される。よって育苗ポット積層体の側壁は平面視円形状から、その円形の直径より小さい辺で構成される矩形状に圧縮して梱包されるので、その大きさをコンパクトにすることができるという効果がある。また、育苗ポット梱包体は、円筒状の育苗ポットを圧縮した状態で梱包しているだけなので、梱包を解いた場合には、再び円筒状の育苗ポットに戻されるという効果がある。
【００５２】
育苗ポット梱包体１において、前記第１の収納ケースと第２の収納ケースとは同一の部材で構成されており、前記第１の収納ケースと第２の収納ケースとの間には、前記第１の収納ケース及び第２の収納ケースと同一の部材で構成された少なくとも１以上の第３の収納ケースと、その第３の収納ケースを挟んだ上方向と下方向とに配置された育苗ポット積層体とを備えていることを特徴とする育苗ポット梱包体２。
【００５３】
育苗ポット梱包体２によれば、育苗ポット梱包体１と同様に作用する上、複数個の育苗ポット積層体は、第１の収納ケース、第２の収納ケース、又は第３の収納ケースのいずれか２つの収納ケースを挟んで積層される。
【００５４】
育苗ポット梱包体２によれば、育苗ポット梱包体１の奏する効果に加え、第１の収納ケースと第２の収納ケースとの間には、少なくとも１以上の第３の収納ケースと、その第３の収納ケースを挟んだ上方向と下方向とに配置された育苗ポット積層体とを備えているので、複数個の育苗ポット積層体は、第１の収納ケース、第２の収納ケース、又は第３の収納ケースのいずれか２つの収納ケースを挟んで積層される。よって、１度に多数の育苗ポットを梱包でき、梱包を分割してする場合に比較して、梱包体の輸送コストを削減することができるという効果がある。
【００５５】
育苗ポット梱包体１又は２において、前記第１の収納ケースの高さは、前記育苗ポットの底壁から開口部までの高さ以下に構成されていることを特徴とする育苗ポット梱包体３。
【００５６】
育苗ポット梱包体３によれば、育苗ポット梱包体１又は２の奏する効果に加え、第１の収納ケースの高さは、育苗ポットの底壁から開口部までの高さ以下に構成されているので、育苗ポット積層体の側壁には第１の収納ケースに収納されていない部分が形成される。よって、梱包体から育苗ポットを変形させて取り出す場合であっても、育苗ポットが梱包体の側壁に当たって落下することを防止でき、取り出し作業を円滑に行うことができるという効果がある。
【００５７】
育苗ポット梱包体１から３のいずれかにおいて、前記育苗ポットの側壁は開口部から底壁に向かって所定の割合で縮径するように形成されており、前記第１の収納ケース又は第２の収納ケースは、矩形状に形成された底壁と、矩形状に形成された前記収納口から前記底壁に向かって所定の割合で収縮するように連設された側壁とを備え、前記第１の収納ケースの側壁の収縮割合又は第２の収納ケースの側壁の収縮割合は、前記育苗ポットの側壁の縮径割合以上に構成されていることを特徴とする育苗ポット梱包体４。
【００５８】
育苗ポット梱包体４によれば、育苗ポット梱包体１から３のいずれかに奏する効果に加え、第１の収納ケースの側壁の収縮割合又は第２の収納ケースの側壁の収縮割合は、育苗ポットの側壁の縮径割合以上に構成されているので、第１の収納ケースに育苗ポットを収納した場合に、第１の収納ケースの側壁によって育苗ポットの側壁に無理な圧力をかけることなく、育苗ポットが極度に変形することを防止することができる。特に、その割合を略同等にすれば、育苗ポットの側壁を適度に押圧して、育苗ポットの側壁を平面視円形状から方形状に変形させることができるという効果がある。
【００５９】
育苗ポット梱包体４において、前記第１の収納ケースの側壁および底壁又は前記第２の収納ケースの側壁および底壁は、格子状に形成されていることを特徴とする育苗ポット梱包体５。
【００６０】
育苗ポット梱包体５によれば、育苗ポット梱包体４の奏する効果に加え、第１の収納ケースの側壁および底壁又は第２の収納ケースの側壁および底壁は格子状に形成されているので、第１の収納ケースおよび第２の収納ケースの重量を軽減できると共に、製造原料の減量によって製造コストを削減することができるという効果がある。
【００６１】
育苗ポット梱包体４又は５において、前記第１の収納ケースの収納口の四隅部又は第２の収納ケースの収納口の四隅部は曲面状に形成されていることを特徴とする育苗ポット梱包体６。
【００６２】
育苗ポット梱包体６によれば、育苗ポット梱包体４又は５の奏する効果に加え、第１の収納ケースの収納口の四隅部又は第２の収納ケースの収納口の四隅部は曲面状に形成されているので、育苗ポットの側壁を平面視円形状から矩形状に圧縮する場合に、育苗ポットの側壁を収納口の四隅部と滑らかに接触させることができるという効果がある。
【００６３】
育苗ポット梱包体１から６のいずれかにおいて、前記第１の収納ケース又は第２の収納ケースは、矩形状の枠体と、その枠体内部の少なくとも縦方向または横方向に橋架された区画部材とを備え、前記第１の収納ケースの収納口または第２の収納ケースの収納口は、前記区画部材によって前記枠体内部に形成される区画口によって形成されることを特徴とする育苗ポット梱包体７。
【００６４】
育苗ポット梱包体７によれば、育苗ポット梱包体１から６のいずれかの奏する効果に加え、第１の収納ケースの収納口または第２の収納ケースの収納口は、区画部材によって枠体内部に形成される区画口によって形成されるので、枠体内部には少なくとも２以上の収納口が形成される。よって、一層、多数個の育苗ポットを梱包することができるという効果がある。
【００６５】
柔軟性を有すると共に、円形状の底壁と、その底壁の縁部から上方に向かって円筒状に立設された側壁と、その側壁の上端縁部によって円形状に形成される開口部とを有する育苗ポットを梱包するための育苗ポットの梱包方法において、前記育苗ポットの原料を加熱して溶解させ、その溶解した原料を型枠内に流し込み、前記育苗ポットを形成する形成工程と、その形成工程によって形成された育苗ポットの側壁を矩形状に変形させるために、その育苗ポットを、前記育苗ポットの開口部の直径よりも小さい一辺をもって、矩形状に形成された収納口から下方に向かって連設された第１の収納ケースに、含熱状態にある間に収納する収納行程とを備えていることを特徴とする育苗ポットの梱包方法１。
【００６６】
育苗ポットの梱包方法１によれば、形成工程によって形成された育苗ポットは、収納行程において、含熱状態にある間に、育苗ポットの開口部の直径よりも小さい一辺をもって、矩形状に形成された収納口から下方に向かって連設された第１の収納ケースに収納される。よって、育苗ポットの柔軟性は向上し、容易に育苗ポットの側壁を平面視円形状から矩形状に変形させることができるという効果がある。
【００６７】
育苗ポットの梱包方法１において、前記第１の収納ケースに収納された育苗ポットに、含熱状態にある複数個数の育苗ポットを積層する積層行程と、その積層行程によって形成された育苗ポット積層体の上方の側壁を矩形状に変形させるために、その育苗ポット積層体の最上層に位置する育苗ポットの側壁内側に、前記第１の収納ケースと略同様に構成された第２の収納ケースを挿嵌する挿嵌行程とを備えていることを特徴とする育苗ポットの梱包方法２。
【００６８】
育苗ポットの梱包方法２によれば、育苗ポットの梱包方法１の奏する効果に加え、積層行程によって積層された育苗ポット積層体の最上層に位置する育苗ポットの側壁内側には、挿嵌行程によって第１の収納ケースと略同様に構成された第２の収納ケースが挿嵌される。よって、育苗ポット積層体の上方の側壁は第２の収納ケースによって内側から押圧される。従って、育苗ポット積層体の上方の側壁を矩形状に変形させることができるという効果がある。
【図面の簡単な説明】
【００６９】
【図１】育苗ポット梱包体の斜視図である。
【図２】同一部材で構成された第１から第３収納ケースの平面図である。
【図３】同一部材で構成された第１から第３収納ケースの側面図である。
【図４】（ａ）は育苗ポットの側面図である。（ｂ）は育苗ポットの平面図である。
【図５】育苗ポットの梱包方法を説明するための図である。
【図６】（ａ）は第１の収納ケースに育苗ポットを収納した状態を示す高さ方向の断面を模式的に示した図である。（ｂ）は第１の収納ケースに育苗ポットを収納した状態を示す平面方向の断面を模式的に示した図である。
【図７】育苗ポットの梱包方法を説明するための図である。
【図８】育苗ポットの側壁内側に第２の収納ケースを挿嵌した状態を示す断面図である。
【図９】育苗ポットの梱包方法を説明するための図である。
【図１０】第２の収納ケースに育苗ポットを収納した状態を示す高さ方向の断面を模式的に示した図である。
【符号の説明】
【００７０】
１      育苗ポット梱包体
２      第１の収納トレイ（第１の収納ケース）
３      第２の収納トレイ（第３の収納ケース）
４      第３の収納トレイ（第２の収納ケース）
５      育苗ポット積層体
６      枠体
７      区画部材
８      収納口（区画口）
９      収納トレイの側壁
１０    収納トレイの底壁
１５    育苗ポット
１６    育苗ポットの底壁
１７    育苗ポットの側壁
１８    開口部
【図１】
2004215672.tif 000003
【図２】
2004215672.tif 000004
【図３】
2004215672.tif 000005
【図４】
2004215672.tif 000006
【図５】
2004215672.tif 000007
【図６】
2004215672.tif 000008
【図７】
2004215672.tif 000009
【図８】
2004215672.tif 000010
【図９】
2004215672.tif 000011
【図１０】
2004215672.tif 000012